(57)【要約】【課題】本発明は、ＭＯＳトランジスタの寿命延長が可能な、液晶表示器及びそのＬＥＤバックライトを提供する。【解決手段】本発明のＬＥＤバックライトは、昇圧回路と、直列ＬＥＤ群と、定電流駆動回路と、増幅回路とからなる。昇圧回路は、直流電圧を受け入れ且つ昇圧直流電圧を出力する。直列ＬＥＤ群は、直列接続された複数のＬＥＤからなり、昇圧回路から出力された昇圧直流電圧を受け入れる。定電流駆動回路は、昇圧回路を制御するためのレベル信号を発する。増幅回路は、直流電圧を受け入れ、且つ定電流駆動回路から出力されたレベル信号を増幅して増幅レベル信号を昇圧回路に出力する。本発明は増幅回路によって、昇圧回路に入力された駆動電圧を上昇させることで、昇圧回路の消費電力を減少させる。更に増幅回路は、ＭＯＳトランジスタに入力された駆動電圧を上昇させ、ＭＯＳトランジスタのＤＣＲ値を減少させて、消費電力を減らし、温度を下げる。【選択図】図３
2016516262.tif 000002
【特許請求の範囲】
【請求項１】
液晶表示器に用いられる、ＬＥＤバックライトであって、
前記ＬＥＤバックライトは、昇圧回路と、直列ＬＥＤ群と、定電流駆動回路と、増幅回路とからなり、
前記昇圧回路は、直流電圧を受け入れるとともに、直流電圧を昇圧して昇圧直流電圧を出力し、
前記直列ＬＥＤ群は、直列接続された第六抵抗器と複数のＬＥＤとからなるとともに、昇圧回路から出力された昇圧直流電圧を受け入れ、
前記定電流駆動回路は、前記昇圧回路を制御するためのレベル信号を発し、
前記増幅回路は、直流電圧を受け入れるとともに、前記定電流駆動回路から出力されたレベル信号を増幅し、且つ増幅レベル信号を前記昇圧回路に向けて出力することを特徴とする、ＬＥＤバックライト。
【請求項２】
前記増幅回路は、第一抵抗器と、第二抵抗器と、第三抵抗器と、第四抵抗器と、第五抵抗器と、第一三極管トランジスタと、第二三極管トランジスタとからなり、
前記第一抵抗器の一端は、前記第三抵抗器の一端と接続されるとともに直流電圧を受け入れ、前記第一抵抗器の他端は、前記昇圧回路と接続され、
前記第三抵抗器の他端は、前記第一三極管トランジスタのコレクタと接続され、
前記第一三極管トランジスタのベースは、前記第五抵抗器の一端と接続されるとともに前記定電流駆動回路と接続され、
前記第五抵抗器の他端は、前記第一三極管トランジスタのエミッタと接続されるとともに電気的に接地され、
前記第二三極管トランジスタのベースは、前記第四抵抗器の一端と接続されるとともに前記第一三極管トランジスタのコレクタと接続され、
前記第二三極管トランジスタのコレクタは、前記第二抵抗器の一端と接続されるとともに前記第一抵抗器の他端と接続され、
前記第二三極管トランジスタのエミッタは、前記第二抵抗器の他端と接続されるとともに前記第四抵抗器の他端と接続され、
前記第四抵抗器の他端は、電気的に接地されることを特徴とする、請求項１に記載のＬＥＤバックライト。
【請求項３】
前記増幅回路において、前記第二抵抗器の電気抵抗値が増大することにより、前記定電流駆動回路から出力されるレベル信号が増幅されることを特徴とする、請求項２に記載のＬＥＤバックライト。
【請求項４】
前記増幅回路において、前記第一抵抗器の電気抵抗値が減少することにより、前記定電流駆動回路から出力されるレベル信号が増幅されることを特徴とする、請求項２に記載のＬＥＤバックライト。
【請求項５】
前記増幅回路において、前記第二抵抗器の電気抵抗値が増大し且つ前記第一抵抗器の電気抵抗値が減少することにより、前記定電流駆動回路から出力されるレベル信号が増幅されることを特徴とする、請求項２に記載のＬＥＤバックライト。
【請求項６】
前記昇圧回路は、インダクタと、ＭＯＳトランジスタと、整流ダイオードと、コンデンサとからなり、
前記インダクタの一端は、直流電圧を受け入れ、前記インダクタの他端は、前記整流ダイオードの正極と接続され、
前記ＭＯＳトランジスタのドレインは、前記インダクタと前記整流ダイオードの正極との間に接続され、
前記コンデンサの一端は、前記整流ダイオードの負極と接続されるとともに前記直列ＬＥＤ群の正極と接続され、
前記コンデンサの他端は、前記ＭＯＳトランジスタのソースと接続され、
前記ＭＯＳトランジスタのゲートは、前記増幅回路における前記第一抵抗器の他端と接続されることを特徴とする、請求項２に記載のＬＥＤバックライト。
【請求項７】
前記定電流駆動回路は、発振器と、第七抵抗器と、コンパレータとからなり、
前記発振器は、三角波信号を発し、
前記第七抵抗器は、三角波信号の周波数を限定し、
前記コンパレータは、三角波信号の電圧と、前記直列ＬＥＤ群における前記第六抵抗器両端の電圧を比較し、
更に、
三角波信号の電圧が前記直列ＬＥＤ群における前記第六抵抗器両端の電圧よりも大きい時、前記コンパレータの出力端子からは、第一レベル信号が前記増幅回路における前記第一三極管トランジスタのベースに向けて出力され、
三角波信号の電圧が前記直列ＬＥＤ群における前記第六抵抗器両端の電圧よりも小さい時、前記コンパレータの出力端子からは、第二レベル信号が前記増幅回路における前記第一三極管トランジスタのベースに向けて出力されることを特徴とする、請求項６に記載のＬＥＤバックライト。
【請求項８】
前記第一レベル信号は、ハイレベル信号であり、
前記第二レベル信号は、ローレベル信号であることを特徴とする、請求項７に記載のＬＥＤバックライト。
【請求項９】
前記増幅回路で増幅されて出力された増幅レベル信号の周波数と、前記定電流駆動回路から出力されたレベル信号の周波数は同じであり、
且つ、
前記増幅回路で増幅されて出力された増幅レベル信号のデューティ比と、前記定電流駆動回路から出力されたレベル信号のデューティ比は同じであることを特徴とする、請求項１に記載のＬＥＤバックライト。
【請求項１０】
前記直流電圧は、液晶表示器外部の交流電圧が変換されてなることを特徴とする、請求項１に記載のＬＥＤバックライト。
【請求項１１】
液晶表示パネルと、ＬＥＤバックライトとからなる液晶表示器であって、
前記ＬＥＤバックライトは、映像を表示するための光源を前記液晶表示パネルに提供するために、前記液晶表示パネルと相対して設けられ、
更に、前記ＬＥＤバックライトは、昇圧回路と、直列ＬＥＤ群と、定電流駆動回路と、増幅回路とからなり、
前記昇圧回路は、直流電圧を受け入れるとともに、直流電圧を昇圧して昇圧直流電圧を出力し、
前記直列ＬＥＤ群は、直列接続された第六抵抗器と複数のＬＥＤとからなるとともに、前記昇圧回路から出力された昇圧直流電圧を受け入れ、
前記定電流駆動回路は、前記昇圧回路を制御するためのレベル信号を発し、
前記増幅回路は、直流電圧を受け入れるとともに、前記定電流駆動回路から出力されたレベル信号を増幅し、且つ増幅レベル信号を前記昇圧回路に向けて出力することを特徴とする、液晶表示器。
【請求項１２】
前記増幅回路は、第一抵抗器と、第二抵抗器と、第三抵抗器と、第四抵抗器と、第五抵抗器と、第一三極管トランジスタと、第二三極管トランジスタとからなり、
前記第一抵抗器の一端は、前記第三抵抗器の一端と接続されるとともに直流電圧を受け入れ、前記第一抵抗器の他端は、前記昇圧回路と接続され、
前記第三抵抗器の他端は、前記第一三極管トランジスタのコレクタと接続され、
前記第一三極管トランジスタのベースは、前記第五抵抗器の一端と接続されるとともに前記定電流駆動回路と接続され、
前記第五抵抗器の他端は、前記第一三極管トランジスタのエミッタと接続されるとともに電気的に接地され、
前記第二三極管トランジスタのベースは、前記第四抵抗器の一端と接続されるとともに前記第一三極管トランジスタのコレクタと接続され、
前記第二三極管トランジスタのコレクタは、前記第二抵抗器の一端と接続されるとともに前記第一抵抗器の他端と接続され、
前記第二三極管トランジスタのエミッタは、前記第二抵抗器の他端と接続されるとともに前記第四抵抗器の他端と接続され、
前記第四抵抗器の他端は、電気的に接地されることを特徴とする、請求項１１に記載の液晶表示器。
【請求項１３】
前記増幅回路において、前記第二抵抗器の電気抵抗値が増大することにより、前記定電流駆動回路から出力されるレベル信号が増幅されることを特徴とする、請求項１２に記載の液晶表示器。
【請求項１４】
前記増幅回路において、前記第一抵抗器の電気抵抗値が減少することにより、前記定電流駆動回路から出力されるレベル信号が増幅されることを特徴とする、請求項１２に記載の液晶表示器。
【請求項１５】
前記増幅回路において、前記第二抵抗器の電気抵抗値が増大し且つ前記第一抵抗器の電気抵抗値が減少することにより、前記定電流駆動回路から出力されるレベル信号が増幅されることを特徴とする、請求項１２に記載の液晶表示器。
【請求項１６】
前記昇圧回路は、インダクタと、ＭＯＳトランジスタと、整流ダイオードと、コンデンサとからなり、
前記インダクタの一端は、直流電圧を受け入れ、前記インダクタの他端は、前記整流ダイオードの正極と接続され、
前記ＭＯＳトランジスタのドレインは、前記インダクタと前記整流ダイオードの正極との間に接続され、
前記コンデンサの一端は、前記整流ダイオードの負極と接続されるとともに前記直列ＬＥＤ群の正極と接続され、
前記コンデンサの他端は、前記ＭＯＳトランジスタのソースと接続され、
前記ＭＯＳトランジスタのゲートは、前記増幅回路における前記第一抵抗器の他端と接続されることを特徴とする、請求項１２に記載の液晶表示器。
【請求項１７】
前記定電流駆動回路は、発振器と、第七抵抗器と、コンパレータとからなり、
前記発振器は、三角波信号を発し、
前記第七抵抗器は、三角波信号の周波数を限定し、
前記コンパレータは、三角波信号の電圧と、前記直列ＬＥＤ群における前記第六抵抗器両端の電圧を比較し、
更に、
三角波信号の電圧が前記直列ＬＥＤ群における前記第六抵抗器両端の電圧よりも大きい時、前記コンパレータの出力端子からは、第一レベル信号が前記増幅回路における前記第一三極管トランジスタのベースに向けて出力され、
三角波信号の電圧が前記直列ＬＥＤ群における前記第六抵抗器両端の電圧よりも小さい時、前記コンパレータの出力端子からは、第二レベル信号が前記増幅回路における前記第一三極管トランジスタのベースに向けて出力されることを特徴とする、請求項１６に記載の液晶表示器。
【請求項１８】
前記第一レベル信号は、ハイレベル信号であり、
前記第二レベル信号は、ローレベル信号であることを特徴とする、請求項１７に記載の液晶表示器。
【請求項１９】
前記増幅回路で増幅されて出力された増幅レベル信号の周波数と、前記定電流駆動回路から出力されたレベル信号の周波数は同じであり、
且つ、
前記増幅回路で増幅されて出力された増幅レベル信号のデューティ比と、前記定電流駆動回路から出力されたレベル信号のデューティ比は同じであることを特徴とする、請求項１１に記載の液晶表示器。
【請求項２０】
前記直流電圧は、液晶表示器外部の交流電圧が変換されてなることを特徴とする、請求項１１に記載の液晶表示器。
【発明の詳細な説明】
【技術分野】
【０００１】
本発明は、液晶表示の技術に関し、特に、液晶表示器、及びそのＬＥＤバックライトに関する。
【背景技術】
【０００２】
技術の絶え間ない進歩に伴い、液晶表示器のバックライトに関する技術も発展を続けている。従来の液晶表示器のバックライトには、冷陰極蛍光管（ＣＣＦＬ）が用いられている。しかし、ＣＣＦＬバックライトには、色の再現性が劣る・発光効率が低い・放電電圧が高い・低温下での放電特性が劣る・加熱によるグレースケール安定化までの時間が長い等の欠点があり、現在では既にＬＥＤバックライトを使用した技術が開発されている。
【０００３】
図１を参照する。現在のＬＥＤバックライトの駆動回路において、定電流駆動回路１３は、レベル信号（即ち駆動信号）を昇圧回路１１のＭＯＳトランジスタＱにおけるゲートに向けて出力する。ＭＯＳトランジスタＱが作動している時、その内部には直流抵抗（ＤＣＲ）が生じる。ＤＣＲの値は、ＭＯＳトランジスタＱのゲート−ソース両端の間における電圧の増大に従って減少する。ＭＯＳトランジスタＱが導通した時、ソース・ドレイン両端には電流が流れるが、この際、直流抵抗（ＤＣＲ）があるために、ＭＯＳトランジスタＱにおいてパワーが消費されて、ＭＯＳトランジスタＱの温度上昇を引き起こし、寿命を縮めてしまう。更に、昇圧回路１１の消費電力を増加させて、寿命を低下させてしまう。
【発明の概要】
【発明が解決しようとする課題】
【０００４】
本発明は、上述した従来技術における問題を解決することが可能な、液晶表示器に用いられるＬＥＤバックライト、及び液晶表示器を提供することを目的とする。
【課題を解決するための手段】
【０００５】
上述の目的を達成するために、本発明の液晶表示器に用いられるＬＥＤバックライトは、昇圧回路と、直列ＬＥＤ群と、定電流駆動回路と、増幅回路とからなる。前記昇圧回路は、直流電圧を受け入れるとともに、直流電圧を昇圧して昇圧直流電圧を出力する。前記直列ＬＥＤ群は、直列接続された第六抵抗器と複数のＬＥＤとからなるとともに、昇圧回路から出力された昇圧直流電圧を受け入れる。前記定電流駆動回路は、昇圧回路を制御するためのレベル信号を発する。前記増幅回路は、直流電圧を受け入れるとともに、定電流駆動回路から出力されたレベル信号を増幅して、増幅レベル信号を昇圧回路に向けて出力する。
【０００６】
また、上述の目的を達成するために、本発明の液晶表示器は、液晶表示パネルと、ＬＥＤバックライトとからなる。ＬＥＤバックライトは、液晶表示パネルと相対して設けられるとともに、ＬＥＤバックライトは、液晶表示パネルが映像を表示するための光源を提供する。このうち、前記ＬＥＤバックライトは、昇圧回路と、直列ＬＥＤ群と、定電流駆動回路と、増幅回路とからなる。前記昇圧回路は、直流電圧を受け入れるとともに、直流電圧を昇圧して昇圧直流電圧を出力する。前記直列ＬＥＤ群は、直列接続された第六抵抗器と複数のＬＥＤとからなるとともに、昇圧回路から出力された昇圧直流電圧を受け入れる。前記定電流駆動回路は、昇圧回路を制御するためのレベル信号を発する。前記増幅回路は、直流電圧を受け入れるとともに、定電流駆動回路から出力されたレベル信号を増幅して、増幅レベル信号を昇圧回路に向けて出力する。
【０００７】
このほか、前記増幅回路は、第一抵抗器と、第二抵抗器と、第三抵抗器と、第四抵抗器と、第五抵抗器と、第一三極管トランジスタと、第二三極管トランジスタとからなる。このうち、第一抵抗器の一端は、第三抵抗器の一端と接続されるとともに直流電圧を受け入れ、第一抵抗器の他端は、昇圧回路と接続される。第三抵抗器の他端は、第一三極管トランジスタのコレクタと接続される。第一三極管トランジスタのベースは、第五抵抗器の一端と接続されるとともに定電流駆動回路と接続される。第五抵抗器の他端は、第一三極管トランジスタのエミッタと接続されるとともに、電気的に接地される。第二三極管トランジスタのベースは、第四抵抗器の一端と接続されるとともに第一三極管トランジスタのコレクタと接続される。第二三極管トランジスタのコレクタは、第二抵抗器の一端と接続されるとともに第一抵抗器の他端と接続される。第二三極管トランジスタのエミッタは、第二抵抗器の他端と接続されるとともに第四抵抗器の他端と接続される。第四抵抗器の他端は、電気的に接地される。
【０００８】
このほか、前記増幅回路において、第二抵抗器の電気抵抗値の増大・第一抵抗器の電気抵抗値の減少の中のどちらか或は両方により、定電流駆動回路から出力されるレベル信号が増幅される。
【０００９】
このほか、前記昇圧回路は、インダクタと、ＭＯＳトランジスタと、整流ダイオードと、コンデンサとからなる。このうち、インダクタの一端は、直流電圧を受け入れ、インダクタの他端は、整流ダイオードの正極と接続される。ＭＯＳトランジスタのドレインは、インダクタと整流ダイオードの正極との間に接続される。コンデンサの一端は、整流ダイオードの負極と接続されるとともに直列ＬＥＤ群の正極と接続され、コンデンサの他端は、ＭＯＳトランジスタのソースと接続される。ＭＯＳトランジスタのゲートは、増幅回路における第一抵抗器の他端と接続される。
【００１０】
このほか、前記定電流駆動回路は、発振器と、第七抵抗器と、コンパレータとからなる。発振器は、三角波信号を発する。第七抵抗器は、三角波信号の周波数を限定する。コンパレータは、三角波信号の電圧と、前記直列ＬＥＤ群における第六抵抗器両端の電圧を比較する。このうち、三角波信号の電圧が前記直列ＬＥＤ群における第六抵抗器両端の電圧よりも大きい時、コンパレータの出力端子は、第一レベル信号を前記増幅回路における第一三極管トランジスタのベースに向けて出力する。三角波信号の電圧が前記直列ＬＥＤ群における第六抵抗器両端の電圧よりも小さい時、コンパレータの出力端子は、第二レベル信号を前記増幅回路における第一三極管トランジスタのベースに向けて出力する。
【００１１】
このほか、前記第一レベル信号はハイレベル信号であり、前記第二レベル信号はローレベル信号である。
【００１２】
このほか、増幅回路で増幅されて出力された増幅レベル信号の周波数と、定電流駆動回路から出力されたレベル信号の周波数は、同じである。また、増幅回路で増幅されて出力された増幅レベル信号のデューティ比と、定電流駆動回路から出力されたレベル信号のデューティ比も、同じである。
【００１３】
このほか、前記直流電圧は、液晶表示器外部の交流電圧が変換されてなる。
【発明の効果】
【００１４】
以上の構造によってなる本発明の液晶表示器及びそのＬＥＤバックライトは、追加された増幅回路によって、昇圧回路に入力された駆動電圧を上昇させることにより、昇圧回路の消費電力を減少させる。更に、前記増幅回路は、昇圧回路のＭＯＳトランジスタに入力された駆動電圧を上昇させ、前記ＭＯＳトランジスタ内部のＤＣＲ値を減少させることにより、前記ＭＯＳトランジスタにおける消費電力を減少させて、温度を下げ、前記ＭＯＳトランジスタの寿命を延ばすことが出来る。
【図面の簡単な説明】
【００１５】
【図１】従来技術の液晶表示器に用いられるＬＥＤバックライトを示した概略図である。
【図２】本発明の実施例における液晶表示器に用いられるＬＥＤバックライトを示した概略図である。
【図３】本発明の実施例におけるＬＥＤバックライトの昇圧回路・定電流駆動回路・増幅回路を示した概略図である。
【図４】本発明の実施例におけるＬＥＤバックライトの液晶表示器を示した概略図である。
【発明を実施するための形態】
【００１６】
ここでは、本発明の実施例について詳細な説明を行う。実施例については図を参照するが、その際、同じ符号は常に同じ部品を示す。以下では、図を参照しつつ実施例について記述することで本発明を説明する。また、以下の記述においては、本発明の構想が不明確になることを避けるため、公知の構造や機能についての余計な詳述は省くこととする。
【００１７】
図２を参照する。図は、本発明の実施例における液晶表示器に用いられるＬＥＤバックライトを示した概略図である。
【００１８】
本発明の実施例におけるＬＥＤバックライトは、昇圧回路１１と、直列ＬＥＤ群１２と、定電流駆動回路１３と、増幅回路１４とからなる。
【００１９】
昇圧回路１１は、直流電圧ＤＣ（例えば２４Ｖ）を受け入れるとともに、直流電圧ＤＣを昇圧してから、昇圧直流電圧を出力する。尚、直流電圧ＤＣは、住宅用交流電圧（例えば１１０Ｖ或は２２０Ｖ）が変換されてなる。例えば、従来技術による交流−直流変換回路を利用して、住宅用交流電圧を直流電圧ＤＣに変換する。
【００２０】
直列ＬＥＤ群１２は、液晶表示器の液晶表示パネル後方に設けられてバックライトとして用いられるとともに、直列ＬＥＤ群１２は、直列接続された複数のＬＥＤと、第六抵抗器Ｒ６とからなり、且つ直列ＬＥＤ群１２は、昇圧回路１１から昇圧直流電圧を受け入れる。ここで注意すべき点は、直列ＬＥＤ群１２が正常に発光する直流電圧は、昇圧回路１１から出力された昇圧直流電圧と等しいか、或は前記昇圧直流電圧より小さいということである。
【００２１】
また、直列ＬＥＤ群においては、選択的に第六抵抗器Ｒ６を除くことも可能である。
【００２２】
定電流駆動回路１３は、昇圧回路１１を制御するためのレベル信号を発する。
【００２３】
増幅回路１４は、直流電圧ＤＣを受け入れるとともに、定電流駆動回路１３から出力されたレベル信号を増幅して増幅レベル信号を昇圧回路１１に向けて出力する。前記増幅レベル信号も、昇圧回路１１を駆動させて、直列ＬＥＤ群１２に向けて前記昇圧直流電圧が提供されるようにするための駆動信号である。
【００２４】
図３を参照する。図は、本発明の実施例におけるＬＥＤバックライトの昇圧回路・定電流駆動回路・増幅回路を示した概略図である。
【００２５】
本発明の実施例において、ＬＥＤバックライトの昇圧回路１１は、インダクタＬと、ＭＯＳ（金属酸化膜半導体）トランジスタＱと、整流ダイオードＤと、コンデンサＣとからなる。
【００２６】
インダクタＬの一端は、直流電圧ＤＣを受け入れ、インダクタＬの他端は、整流ダイオードＤの正極と接続される。ＭＯＳトランジスタＱのドレインは、インダクタＬと整流ダイオードＤの正極との間に接続される。コンデンサＣの一端は、整流ダイオードＤの負極と接続されるとともに直列ＬＥＤ群１２の正極と接続され、コンデンサＣの他端は、ＭＯＳトランジスタＱのソースと接続される。ＭＯＳトランジスタＱのゲートは、増幅回路１４と接続される。
【００２７】
増幅回路１４から出力された増幅レベル信号によってＭＯＳトランジスタＱのゲートが駆動制御されることにより、昇圧回路１１は直列ＬＥＤ群１２に前記昇圧直流電圧を提供するように駆動制御される。
【００２８】
本発明の実施例において、ＬＥＤバックライトの定電流駆動回路１３は、発振器ＯＳＣと、第七抵抗器Ｒ７と、コンパレータＵとからなる。
【００２９】
このうち、発振器ＯＳＣの一端は、第七抵抗器Ｒ７と接続され、発振器ＯＳＣの他端は、コンパレータＵの正端子と接続される。コンパレータＵの負端子は、直列ＬＥＤ群１２の負端子と第六抵抗器Ｒ６との間に接続され、コンパレータＵの出力端子は、増幅回路１４における第一三極管トランジスタＴ１のベースと接続される。
【００３０】
発振器ＯＳＣは、三角波信号を発するために用いられる。また第七抵抗器Ｒ７は、三角波信号の周波数を限定するために用いられる。更にコンパレータは、三角波信号の電圧と、直列ＬＥＤ群１２における第六抵抗器Ｒ６両端の電圧を比較するために用いられる。このうち、三角波信号の電圧が直列ＬＥＤ群１２における第六抵抗器Ｒ６両端の電圧よりも大きい時、コンパレータＵの出力端子は、第一レベル信号を増幅回路１４における第一三極管トランジスタＴ１のベースに向けて出力する。三角波信号の電圧が直列ＬＥＤ群１２における第六抵抗器Ｒ６両端の電圧よりも小さい時、コンパレータＵの出力端子は、第二レベル信号を増幅回路１４における第一三極管トランジスタＴ１のベースに向けて出力する。
【００３１】
即ち、第一レベル信号はハイレベル信号であり、第二レベル信号はローレベル信号であるか、或は、第一レベル信号はローレベル信号であり、第二レベル信号はハイレベル信号である。
【００３２】
本発明の実施例において、ＬＥＤバックライトの増幅回路１４は、第一抵抗器Ｒ１と、第二抵抗器Ｒ２と、第三抵抗器Ｒ３と、第四抵抗器Ｒ４と、第五抵抗器Ｒ５と、第一三極管トランジスタＴ１と、第二三極管トランジスタＴ２とからなる。
【００３３】
第一抵抗器Ｒ１の一端は、第三抵抗器Ｒ３の一端と接続されるとともに直流電圧ＤＣを受け入れ、第一抵抗器Ｒ１の他端は、昇圧回路１１におけるＭＯＳトランジスタＱのゲートと接続される。第三抵抗器Ｒ３の他端は、第一三極管トランジスタＴ１のコレクタと接続される。第一三極管トランジスタＴ１のベースは、第五抵抗器Ｒ５の一端と接続されるとともに定電流駆動回路１３と接続される。第五抵抗器Ｒ５の他端は、第一三極管トランジスタＴ１のエミッタと接続されるとともに電気的に接地される。第二三極管トランジスタＴ２のベースは、第四抵抗器Ｒ４の一端と接続されるとともに第一三極管トランジスタＴ１のコレクタと接続される。第二三極管トランジスタＴ２のコレクタは、第二抵抗器Ｒ２の一端と接続されるとともに第一抵抗器Ｒ１の他端と接続される。第二三極管トランジスタＴ２のエミッタは、第二抵抗器Ｒ２の他端と接続されるとともに第四抵抗器Ｒ４の他端と接続される。第四抵抗器Ｒ４の他端は、電気的に接地される。
【００３４】
定電流駆動回路１３におけるコンパレータＵの出力端子から出力されるレベル信号がローレベル信号である時、第一三極管トランジスタＴ１は導通せず、第二三極管トランジスタＴ２は導通する。昇圧回路１１におけるＭＯＳトランジスタＱのゲートの電圧はゼロであり、ＭＯＳトランジスタＱは導通せず、昇圧回路１１が停止することで直流電圧ＤＣが昇圧する。直列ＬＥＤ群１２における電圧は低下し、直列ＬＥＤ群１２における電流も減少し、直列ＬＥＤ群１２の輝度も低下する。
【００３５】
定電流駆動回路１３におけるコンパレータＵの出力端子から出力されるレベル信号がハイレベル信号である時、第一三極管トランジスタＴ１は導通し、第二三極管トランジスタＴ２は導通しない。直流電圧ＤＣは、第一抵抗器Ｒ１と第二抵抗器Ｒ２を通じて分圧された後、ＭＯＳトランジスタＱのゲートへ送られる。第一抵抗器Ｒ１の電気抵抗値・第二抵抗器Ｒ２の電気抵抗値の中のどちらか或は両方を調節することにより、コンパレータＵの出力端子から出力されるハイレベル信号をより高いレベル信号に変換することが出来る。即ち、コンパレータＵの出力端子から出力されるハイレベル信号は、増幅されて増幅ハイレベル信号になる。具体的な変換方法は、下記の数式によって示される。
【００３６】
【数１】
2016516262.tif 000003
【００３７】
上記の数式のうち、Ｖａは、直流電圧ＤＣの電圧値である。ＱＧＣは、ＭＯＳトランジスタＱのゲートに送られる増幅ハイレベル信号の電圧値である。Ｒ１は、第一抵抗器Ｒ１の電気抵抗値である。Ｒ２は、第二抵抗器Ｒ２の電気抵抗値である。
【００３８】
上記の数式から分かるように、第二抵抗器Ｒ２の電気抵抗値Ｒ２の増大・第一抵抗器Ｒ１の電気抵抗値Ｒ１の減少の中のどちらか或は両方により、定電流駆動回路１３から出力されるレベル信号を増幅することが出来る。例えば、Ｖａ＝２４Ｖ、Ｒ１＝１Ω、Ｒ２＝２Ωである場合には、ＱＧＣ＝１６Ｖとなる。
【００３９】
通常、コンパレータＵの出力端子から出力されるハイレベル信号の電圧値は５Ｖである。仮に、コンパレータＵの出力端子がＭＯＳトランジスタのゲートと直接接続されるとすると、ＭＯＳトランジスタＱのゲートに送られるハイレベル信号の電圧値は５Ｖとなる。しかしながら、本実施例においては、上記の計算から分かるように、ＭＯＳトランジスタＱのゲートに送られるハイレベル信号の電圧値を大幅に上昇させることが可能なため、ＭＯＳトランジスタの駆動時においてＭＯＳトランジスタのＤＣＲ値が減少し、これにより、ＭＯＳトランジスタＱにおける消費電力が減少し、温度が下がり、ＭＯＳトランジスタＱの寿命を延ばすことが出来る。
【００４０】
注意すべきなのは以下の点である。即ち、本実施例において、増幅回路１４で増幅されて出力された増幅レベル信号の周波数と、定電流駆動回路１３から出力されたレベル信号の周波数は同じである。また、増幅回路１４で増幅されて出力された増幅レベル信号のデューティ比と、定電流駆動回路１３から出力されたレベル信号のデューティ比は同じである。
【００４１】
図４を参照する。図は、本発明の実施例におけるＬＥＤバックライトの液晶表示器を示した概略図である。
【００４２】
液晶表示器１は、液晶表示パネル１１１と、ＬＥＤバックライトとからなる。液晶表示パネル１１１は、ＬＥＤバックライトと相対して設けられる。また、ＬＥＤバックライトは液晶表示パネル１１１に光源を提供し、これにより液晶表示パネル１１１は映像を表示する。
【００４３】
総じて言えば、本発明の実施例による液晶表示器及びそのＬＥＤバックライトは、追加された増幅回路によって、昇圧回路に入力された駆動電圧を上昇させることにより、昇圧回路の消費電力を減少させる。更に、前記増幅回路は、昇圧回路のＭＯＳトランジスタに入力された駆動電圧を上昇させ、前記ＭＯＳトランジスタ内部のＤＣＲ値を減少させることにより、前記ＭＯＳトランジスタにおける消費電力を減少させて、温度を下げ、前記ＭＯＳトランジスタの寿命を延ばすことが出来る。
【００４４】
上記にて、実施例を具体的に提示し、本発明について説明したものの、本技術領域に関わる者が理解する通り、特許請求によって定められる本発明の構想と範囲から出ない限り、形式や細部に対する各種変化は可能である。
【符号の説明】
【００４５】
（従来技術）
１１    昇圧回路
１３    定電流駆動回路
ＤＣ    直流電圧
Ｑ        ＭＯＳトランジスタ
（本発明）
１        液晶表示器
１１    昇圧回路
１１１    液晶表示パネル
１２    直列ＬＥＤ群
１３    定電流駆動回路
１４    増幅回路
ＤＣ    直流電圧
Ｌ        インダクタ
Ｑ        ＭＯＳトランジスタ
Ｄ        整流ダイオード
Ｃ        コンデンサ
Ｕ        コンパレータ
Ｒ１    第一抵抗器
Ｒ２    第二抵抗器
Ｒ３    第三抵抗器
Ｒ４    第四抵抗器
Ｒ５    第五抵抗器
Ｒ６    第六抵抗器
Ｒ７    第七抵抗器
Ｔ１    第一三極管トランジスタ
Ｔ２    第二三極管トランジスタ
【図１】
2016516262.tif 000004
【図２】
2016516262.tif 000005
【図３】
2016516262.tif 000006
【図４】
2016516262.tif 000007
【国際調査報告】
2016516262.tif 000008
2016516262.tif 000009
2016516262.tif 000010
2016516262.tif 000011
2016516262.tif 000012
2016516262.tif 000013